(57)【要約】【課題】故障が少なくて操作感の良いラッチ錠を、扉の開放方向を制限せずに使用する。【解決手段】本発明のラッチ錠１は、扉２の壁面３、３９の室内外に各々固定される一対のハンドル４、４４と、該ハンドル４、４４に回転可能に支持されるレバー７、４７と、該レバー７、４７の回転に伴って回転するラッチバー８、４８と、前記扉２の木口に対して進退可能に設けられるラッチボルトと、該ラッチボルトを係止して前記木口からの前記ラッチボルトの退避を規制する第１の姿勢と、前記ラッチボルトに対する係止を解除して前記木口からの前記ラッチボルトの退避を可能とする第２の姿勢と、の間で前記ラッチバー８、４８の回転に伴って姿勢が切り替えられる係止片と、を備えていることを特徴とする。【選択図】図２
2013189843.tif 000002
【特許請求の範囲】
【請求項１】
扉の壁面の室内外に各々固定される一対のハンドルと、
該各ハンドルに回転可能に支持されるレバーと、
該レバーの回転に伴って回転するラッチバーと、
前記扉の木口に対して進退可能に設けられるラッチボルトと、
該ラッチボルトを係止して前記木口からの前記ラッチボルトの退避を規制する第１の姿勢と、前記ラッチボルトに対する係止を解除して前記木口からの前記ラッチボルトの退避を可能とする第２の姿勢と、の間で前記ラッチバーの回転に伴って姿勢が切り替えられる係止片と、を備えていることを特徴とするラッチ錠。
【請求項２】
前記各ハンドルの少なくとも一方は、後側に開口部を有するレバー挿入部を備え、
前記レバーは、前記レバー挿入部に挿入され、回転軸を中心として前後方向に回転可能に設けられ、後側に回転した時に前記開口部を介して少なくとも一部を前記ハンドルの後側に突出させるように付勢手段によって付勢されていることを特徴とする請求項１に記載のラッチ錠。
【請求項３】
前記各ハンドルの少なくとも一方は、前側に開口部を有するレバー挿入部を備え、
前記レバーは、前記レバー挿入部に挿入され、回転軸を中心として前後方向に回転可能に設けられ、前側に回転した時に前記開口部を介して少なくとも一部を前記ハンドルの前側に突出させるように付勢手段によって付勢されていることを特徴とする請求項１に記載のラッチ錠。
【請求項４】
前記ラッチバーは、前記レバーに固定され、該レバーと同一方向に回転することを特徴とする請求項１〜３のいずれか１項に記載のラッチ錠。
【請求項５】
前記ラッチバーは、前記レバーにリンクを介して接続され、前記レバーとは逆方向に回転することを特徴とする請求項１〜３のいずれか１項に記載のラッチ錠。
【請求項６】
前記ラッチバーの回転軸は前記レバーの回転軸と同一であることを特徴とする請求項１〜５のいずれか１項に記載のラッチ錠。
【請求項７】
前記ラッチバーの回転軸は前記レバーの回転軸と別個に設けられ、前記ラッチバーは、係合部を介して前記レバーに連結されていることを特徴とする請求項１〜３のいずれか１項に記載のラッチ錠。
【請求項８】
前記係合部は、前記レバーと前記ラッチバーのうちのいずれか一方に形成された係合凸部と、前記レバーと前記ラッチバーのうちのいずれか他方に形成された係合凹部と、を備え、前記係合凸部は前記係合凹部に係合可能に形成されており、
前記レバーの回転力が前記係合部を介して前記ラッチレバーに伝達されることにより前記ラッチバーが回転するように構成されていることを特徴とする請求項７に記載のラッチ錠。
【請求項９】
前記レバーの回転軸と前記係合部の間に前記ラッチバーの回転軸が設けられていることを特徴とする請求項８に記載のラッチ錠。
【請求項１０】
前記レバーの回転軸と前記ラッチバーの回転軸の間に前記係合部が設けられていることを特徴とする請求項８に記載のラッチ錠。
【発明の詳細な説明】
【技術分野】
【０００１】
本発明は、ラッチボルトによって扉の閉止状態を保持するラッチ錠に関する。
【背景技術】
【０００２】
従来、扉の閉止状態（仮締まり状態）を保持するための錠構造として、所謂「ラッチ錠」が周知である。この「ラッチ錠」は、扉から突出させたラッチボルト等のラッチを、扉枠等に設けられたストライクに係合させることで、扉の閉止状態を保持するものである。
【０００３】
このようなラッチ錠として、特許文献１には、扉の表面に固定されるハンドル（「取っ手２」参照）と、ハンドルに取り付けられるレバーと、レバーによって扉の裏面に沿って動かされるラッチと、を備えたものが開示されている。
【先行技術文献】
【特許文献】
【０００４】
【特許文献１】実開平４−８２２７１号公報
【発明の概要】
【発明が解決しようとする課題】
【０００５】
特許文献１に記載されたラッチ錠では、ラッチが扉の裏面に沿って動く構成であるため、ラッチが係合するストライクは、扉の裏面と対向する部材（特許文献１では、「戸当たり６」）に設けられることになる。そのため、扉を裏面側に開放することは構造上不可能であり、扉の開放方向が表面側に限定されてしまう。従って、ハンドルを押す操作と引く操作のどちらでも扉の開放が可能な所謂「プッシュ・プル錠」としてこのラッチ錠を使用することはできなかった。
【０００６】
そこで、本発明は上記の事情を考慮し、故障が少なくて操作感の良いラッチ錠を、扉の開放方向を制限せずに使用することを目的とする。
【課題を解決するための手段】
【０００７】
本発明に係るラッチ錠は、扉の壁面の室内外に各々固定される一対のハンドルと、該各ハンドルに回転可能に支持されるレバーと、該レバーの回転に伴って回転するラッチバーと、前記扉の木口に対して進退可能に設けられるラッチボルトと、該ラッチボルトを係止して前記木口からの前記ラッチボルトの退避を規制する第１の姿勢と、前記ラッチボルトに対する係止を解除して前記木口からの前記ラッチボルトの退避を可能とする第２の姿勢と、の間で前記ラッチバーの回転に伴って姿勢が切り替えられる係止片と、を備えていることを特徴とする。
【０００８】
上記のようにラッチボルトを扉の木口に対して進退可能に設けることで、ラッチボルトを係合させるストライクを、扉の壁面と対向する部材では無く扉の木口と対向する部材に設けることができる。そのため、ストライクが設けられる部材によって扉の開放方向が制限される虞が無く、例えばプッシュ・プル錠としてラッチ錠を使用することも可能となる。
【０００９】
また、各ハンドルを扉の壁面の室内外に各々固定することで、ハンドルをレバーと共に回転させるような構成を採用する場合と比較して、可動部材を少なくすることができるため、ラッチ錠の故障頻度を減少させることができる。また、レバーの回転に伴ってラッチバーを回転させる構成であり、ハンドルを回転させる必要が無いため、ラッチバーの回転に必要な力を小さくすることができ、操作感の向上を図ることが可能となる。
【００１０】
前記各ハンドルの少なくとも一方は、後側に開口部を有するレバー挿入部を備え、前記レバーは、前記レバー挿入部に挿入され、回転軸を中心として前後方向に回転可能に設けられ、後側に回転した時に前記開口部を介して少なくとも一部を前記ハンドルの後側に突出させるように付勢手段によって付勢されていても良い。
このような構成を採用することで、ハンドルを前側に牽引して扉を開放する動作に連動して、レバーを回転させることが可能となる。
【００１１】
前記各ハンドルの少なくとも一方は、前側に開口部を有するレバー挿入部を備え、前記レバーは、前記レバー挿入部に挿入され、回転軸を中心として前後方向に回転可能に設けられ、前側に回転した時に前記開口部を介して少なくとも一部を前記ハンドルの前側に突出させるように付勢手段によって付勢されていても良い。
【００１２】
このような構成を採用することで、ハンドルを後側に押圧して扉を開放する動作に連動して、レバーを回転させることが可能となる。
【００１３】
前記ラッチバーは、前記レバーに固定され、該レバーと同一方向に回転しても良い。
【００１４】
このような構成を採用することで、別部材を介してラッチバーとレバーを接続する場合と比較して、ラッチ錠の構成を簡易化することが可能となる。
【００１５】
前記ラッチバーは、前記レバーにリンクを介して接続され、前記レバーとは逆方向に回転しても良い。
【００１６】
このような構成を採用することで、ラッチバーを回転させたい方向がレバーの回転方向とは逆方向であるような場合にも対応することが可能となる。
【００１７】
前記ラッチバーの回転軸は前記レバーの回転軸と同一であっても良く、この場合には、ラッチ錠の構成が単純化され、部品点数の削減を図ることができる。
【００１８】
前記ラッチバーの回転軸は前記レバーの回転軸と別個に設けられ、前記ラッチバーは、係合部を介して前記レバーに連結されていても良く、また、前記係合部は、前記レバーと前記ラッチバーのうちのいずれか一方に形成された係合凸部と、前記レバーと前記ラッチバーのうちのいずれか他方に形成された係合凹部と、を備え、前記係合凸部は前記係合凹部に係合可能に形成されており、前記レバーの回転力が前記係合部を介して前記ラッチレバーに伝達されることにより前記ラッチバーが回転するように構成されていても良い。
【００１９】
また、前記レバーの回転軸と前記係合部の間に前記ラッチバーの回転軸が設けられていても良く、或いは、前記レバーの回転軸と前記ラッチバーの回転軸の間に前記係合部が設けられていても良い。
【００２０】
そしてこのような構成を採用することで、ラッチバーの回転に必要な力をより小さくすることができ、レバーの操作感の向上を図ることが可能となる等、種々の優れた効果を得ることができる。
【発明の効果】
【００２１】
本発明によれば、故障が少なくて操作感の良いラッチ錠を、扉の開放方向を制限せずに使用することが可能となる。
【図面の簡単な説明】
【００２２】
【図１】本発明の第１の実施形態に係るラッチ錠を備えた扉を示す側断面図である。
【図２】図１の要部拡大図である。
【図３】図１のＡ−Ａ断面図である。
【図４】図１のＢ−Ｂ断面図である。
【図５】本発明の第２の実施形態に係るラッチ錠において、扉の内側部分を模式的に示す断面図である。
【図６】本発明の第３の実施形態に係るラッチ錠において、扉の外側部分を模式的に示す断面図である。
【図７】本発明の第４の実施形態に係るラッチ錠において、扉の内側部分を模式的に示す断面図である。
【図８】本発明の第５及び第６の実施形態に係るラッチ錠を備えた扉を示す側断面図である。
【図９】本発明の第５及び第６の実施形態に係るラッチ錠を備えた扉を示す平断面図である。
【図１０】本発明の第７の実施形態に係るラッチ錠を備えた扉を示す側断面図である。
【図１１】本発明の第７の実施形態に係るラッチ錠を備えた扉を示す平断面図である。
【発明を実施するための形態】
【００２３】
＜第１の実施形態＞
【００２４】
以下、図１〜図４に基づき、本発明の第１の実施形態に係るラッチ錠１について説明する。図１は、本発明の第１の実施形態に係るラッチ錠を備えた扉を示す側断面図である。図２は、図１の要部拡大図である。図３は、図１のＡ−Ａ断面図である。図４は、図１のＢ−Ｂ断面図である。
【００２５】
まず、ラッチ錠１のうち、扉２の室外側（図１における左側）に設けられた部材について説明する。なお、説明の便のため、図１における左側を扉２の室外側に設けられた部材の前側（正面側）とし、図１における右側を扉２の室外側に設けられた部材の後側（背面側）とする。
【００２６】
図１に示されるように、扉２の室外側には、扉２の外壁面３に固定される室外側ハンドル４と、室外側ハンドル４の上端後側に配置される室外側裏板５と、室外側裏板５の前側に配置される室外側レバーブラケット６と、室外側ハンドル４の上部に支持される室外側レバー７と、室外側レバー７の上部に固定される室外側ラッチバー８と、が設けられている。以下、これらの部材について順番に説明する。
【００２７】
室外側ハンドル４は、その上下両端部に設けられる固定部１０と、各固定部１０を連結して上下方向に延びる連結部１１と、を備えており、断面略コ字状を成している。下側の固定部１０の下部には、後方に向かって取付バー１２が突設されている。取付バー１２は、扉２を貫通している。
【００２８】
図２に最も良く示されるように、上側の固定部１０の上端から連結部１１の上下方向中央に亘る部分には、レバー挿入部１３が設けられている。レバー挿入部１３は、上下方向に長い形状を成している。レバー挿入部１３の後側には、開口部１４が形成されている。
【００２９】
レバー挿入部１３の上部の左右両側には、上下一対の取付座１５が設けられている。上側の取付座１５の上部と下側の取付座１５の下部にはそれぞれ第１座面１６が形成され、上側の取付座１５の下部と下側の取付座１５の上部には、それぞれ第２座面１７が形成されている。各第１座面１６は各第２座面１７よりも後方に配置されている。
【００３０】
室外側裏板５は、レバー挿入部１３の上部後側に収容されている。室外側裏板５は、上下方向に延びる固定板１８と、固定板１８の下端から前方に向かって屈曲される屈曲板２０と、を備えており、断面略Ｌ字状を成している。固定板１８の後面の上部と下部には、扉２を貫通する取付柱２１が固定されている。固定板１８の上部と下部は、固定ネジ２２を介して室外側ハンドル４の第１座面１６に固定されている。固定板１８の上下方向中央には、裏板側挿通孔２３が前後方向に設けられている。
【００３１】
図３に示されるように、室外側レバーブラケット６は、レバー挿入部１３の上部に収容され、室外側裏板５の前側に配置されている。室外側レバーブラケット６は、後面板２４と、後面板２４の左右両側から前方に向かって屈曲される側板２５と、を備えている。
【００３２】
図２に示されるように、後面板２４は、固定ネジ２６を介して室外側ハンドル４の第２座面１７に固定されている。後面板２４の上下方向中央には、ブラケット側挿通孔２７が前後方向に設けられている。各側板２５の間には、レバー挿入部１３内に収容された回転軸２８が架設されている（図３参照）。
【００３３】
図２に示されるように、室外側レバー７は、上下方向に長い形状を成しており、室外側ハンドル４のレバー挿入部１３に挿入されている。室外側レバー７の上部には、レバー側取付部３０が設けられている。
【００３４】
図３に示されるように、レバー側取付部３０の上部には、レバー側軸孔３３が設けられ、このレバー側軸孔３３に室外側ハンドル４の回転軸２８が貫挿されている。これにより、図２に示されるように、回転軸２８を中心として前後方向に回転可能な状態で、室外側レバー７が室外側ハンドル４に支持されている。室外側レバー７の下部後側には、操作部３４が設けられている。操作部３４は、室外側レバー７が後側に回転した状態（図２の実線参照）で、開口部１４を介して室外側ハンドル４の後側に突出するように配置されている。
【００３５】
図２に示されるように、室外側ラッチバー８は、縦長形状のラッチバー側取付部３５と、このラッチバー側取付部３５の上部から後方に向かって延設される横長形状の突起部３６と、を備えている。
【００３６】
ラッチバー側取付部３５は、室外側レバー７のレバー側取付部３０に取り付けられており、これにより、室外側レバー７に室外側ラッチバー８が固定されている。図３に示されるように、ラッチバー側取付部３５の上部にはラッチバー側軸孔４１が設けられ、このラッチバー側軸孔４１に室外側ハンドル４の回転軸２８が貫挿されている。これにより、室外側レバー７と共に室外側ラッチバー８が室外側ハンドル４に回転可能に支持されている。
【００３７】
ラッチバー側取付部３５とレバー側取付部３０の間には収容空間４２が形成され、この収容空間４２にはねじりコイルバネ４３が収容されている。ねじりコイルバネ４３は、回転軸２８の外周に巻回されており、室外側レバー７を後側に付勢している。ラッチバー側取付部３５と室外側レバーブラケット６の側板２５の間には、スペーサー３９が介装されている。
【００３８】
図２に示されるように、突起部３６は、室外側裏板５に設けられた裏板側挿通孔２３及び室外側レバーブラケット６に設けられたブラケット側挿通孔２７に挿通されて扉２内に挿入されている。
【００３９】
次に、ラッチ錠１のうち、扉２の室内側（図１における右側）に設けられた部材について説明する。なお、説明の便のため、図１における右側を扉２の室内側に設けられた部材の前側（正面側）とし、図１における左側を扉２の室内側に設けられた部材の後側（背面側）とする。
【００４０】
図１に示されるように、扉２の室内側には、扉２の内壁面４９に固定される室内側ハンドル４４と、室内側ハンドル４４の上端後側に配置される室内側裏板４５と、室内側裏板４５の前側に配置される室内側レバーブラケット４６と、室内側ハンドル４４の上部に支持される室内側レバー４７と、室内側レバー４７の上部に固定される室内側ラッチバー４８と、が設けられている。なお、室内側レバーブラケット４６、室内側レバー４７、室内側ラッチバー４８の構成は、それぞれ室外側レバーブラケット６、室外側レバー７、室外側ラッチバー８の構成と同様であるため、説明を省略する。
【００４１】
室内側ハンドル４４は、その上下両端部に設けられる固定部５０と、各固定部５０を連結して上下方向に延びる連結部５１と、を備えており、断面略コ字状を成している。下側の固定部５０の下部は、取付バー１２の室内側の端部に固定ネジ５２を介して固定されている。
【００４２】
図２に最も良く示されるように、上側の固定部５０から連結部５１の上下方向中央に亘る部分には、レバー挿入部５３が設けられている。レバー挿入部５３は、上下方向に長い形状を成している。レバー挿入部５３の後側には、開口部５４が形成されている。
【００４３】
レバー挿入部５３の上部の左右両側には、上下一対の取付座５５が設けられている。各取付座５５の後面には座面５６が形成されている。
【００４４】
室内側裏板４５は、レバー挿入部５３の上部後側に収容されている。室内側裏板４５は、上下方向に延びる固定板５７と、固定板５７の下端から前方に向かって屈曲されて水平方向に延びる屈曲板５８と、固定板５７の上部と下部から前方に向かって屈曲される連結板６０と、を備えている。
【００４５】
固定板５７の後面の上部と下部は、各取付柱２１の室内側の端部に固定ネジ６１を介して固定されている。固定板５７の上下方向中央には、裏板側挿通孔６２が前後方向に設けられている。各連結板６０は、固定ネジ６３を介して室内側ハンドル４４の上側の固定部５０に固定されている。
【００４６】
次に、ラッチ錠１のうち、扉２の内部に収納された部材について説明する。なお、説明の便のため、図４における左側を扉２の内部に収納された部材の前側（正面側）とし、図４における右側を扉２の内部に収納された部材の後側（背面側）とする。
【００４７】
図４に示されるように、扉２の内部には、扉２の木口６４に沿って設置される錠ケース６５と、錠ケース６５の前端に配置されるラッチボルト６６と、ラッチボルト６６の後上方と後下方に配置される上下一対の係止片６７、６８と、各係止片６７、６８の後方に配置される一対の作動片７０、７１と、が設けられている。
【００４８】
錠ケース６５の前端は錠ケース取付板７２に固定され、錠ケース取付板７２は固定ネジ６９を介して扉２の木口６４に固定されている。各錠ケース６５の前部には、ラッチボルト装着部７３が形成され、ラッチボルト装着部７３の前面にはラッチボルト挿通孔７４が前後方向に設けられている。ラッチボルト装着部７３の上部と下部には、挿入開口部７５が形成されている。
【００４９】
ラッチボルト６６は、錠ケース６５のラッチボルト装着部７３に水平方向回転可能に装着されており、この水平方向の回転に伴って扉２の木口６４に対して進退するようになっている。ラッチボルト６６の前側部分は、ラッチボルト挿通孔７４を介して扉２の木口６４の前方に突出しており、扉枠等の固定部材７６に設けられたストライク７７に進入している。これにより、固定部材７６に対する扉２の閉止状態（仮締まり状態）が保持されている。
【００５０】
ラッチボルト６６の後面にはバネ受け部７８が設けられており、このバネ受け部７８とラッチボルト装着部７３との間に介装されるコイルバネ８０によって、ラッチボルト６６が突出方向（本実施形態では、前方）に付勢されている。ラッチボルト６６の外周には鍔部８１が設けられ、この鍔部８１がラッチボルト挿通孔７４の周囲においてラッチボルト装着部７３に当接している。
【００５１】
各係止片６７、６８は、錠ケース６５内に収容されている。上側の係止片６７は、その前後方向中央に設けられた第１支点８２を中心に回転可能となっている。上側の係止片６７の前端部には、下方に向かって係止突起８３が設けられ、この係止突起８３がラッチボルト６６の鍔部８１を係止している。上側の係止片６７の後端部には、上方に向かって被押圧部８４が突設されている。上側の係止片６７には、連結腕部８５が下方に向かって突設され、連結腕部８５の下端には側面視円形の係合突起８６が設けられている。
【００５２】
下側の係止片６８は、その前後方向中央に設けられた第２支点８７を中心に回転可能となっている。下側の係止片６８の前端部には、上方に向かって係止突起８８が設けられ、この係止突起８８によってラッチボルト６６の鍔部８１が係止されている。下側の係止片６８の後端部には、下方に向かって被押圧部９０が突設されている。下側の係止片６８には、連結腕部９１が上方に向かって突設され、連結腕部９１の上端には側面視長円形の係合穴９２が設けられている。この係合穴９２が上側の係止片６７の係合突起８６と係合することで、リンク９３が形成されている。第２支点８７の周りには付勢バネ８９が巻回され、この付勢バネ８９によって、各係止片６７、６８がラッチボルト６６を係止する姿勢（図４の実線参照）に付勢されている。
【００５３】
各作動片７０、７１は、上下動可能な状態で錠ケース６５内に収容されている。一方の作動片７０の上端には、上側の係止片６７の被押圧部８４と当接する押圧部９４が設けられている。一方の作動片７０の下端には、各ラッチバー８、４８と当接する当接部９５が設けられている。他方の作動片７１の下端には、下側の係止片６８の被押圧部９０と当接する押圧部９６が設けられている。他方の作動片７１の上端には、当接部９７が設けられている。
【００５４】
上記の如く構成されたものにおいて、扉２が閉止されている状態では、ねじりコイルバネ４３の付勢力によって室外側レバー７が後側に付勢されている（図２の実線参照）。また、図４に実線で示されるように、付勢バネ８９の付勢力によって各係止片６７、６８の係止突起８３、８８がラッチボルト６６の鍔部８１を係止しており、扉２の木口６４からのラッチボルト６６の退避が規制されている。この時の各係止片６７、６８の姿勢を「第１の姿勢」と称する。
【００５５】
この状態から、扉２を開放するために室外側ハンドル４を把持して前側に牽引すると、これに連動して室外側レバー７の操作部３４が前方に押圧される。この押圧により、図２に二点鎖線で示されるように、室外側レバー７が回転軸２８を中心に前側に回転し、室外側レバー７に固定された室外側ラッチバー８が回転し、室外側ラッチバー８の突起部３６が下方に移動する。
【００５６】
このように室外側ラッチバー８の突起部３６が下方に移動すると、突起部３６によって一方の作動片７０の当接部９５が下方に押圧され、図４に二点鎖線で示されるように、一方の作動片７０が下方に移動する。これに伴って、一方の作動片７０の押圧部９４が上側の係止片６７の被押圧部８４を下方に押圧し、付勢バネ８９の付勢力に抗して上側の係止片６７が回転する。この回転により、上側の係止片６７の係止突起８３によるラッチボルト６６の係止が解除される。また、上側の係止片６７の回転に伴って、上側の係止片６７とリンク９３を介して接続された下側の係止片６８も、付勢バネ８９の付勢力に抗して回転し、下側の係止片６８の係止突起８８によるラッチボルト６６の係止が解除される。これにより、ラッチボルト６６が扉２の木口６４から退避（本実施形態では、後方に回転）可能となる。この時の各係止片６７、６８の姿勢を「第２の姿勢」と称する。
【００５７】
なお、室内側ハンドル４４を牽引した場合の作用は、室外側ハンドル４を牽引した場合の作用と同様であるため、説明を省略する。また、室外側ハンドル４や室内側ハンドル４４を押圧する操作によっても、扉２を開放することができる。
【００５８】
本実施形態では、ラッチボルト６６が扉２の木口６４に対して進退可能に設けられているため、ラッチボルト６６を係合させるストライク７７を、扉２の壁面３、４９と対向する部材では無く扉２の木口６４と対向する扉枠７６に設けることができる。そのため、扉枠７６によって扉２の開放方向が制限される虞が無く、プッシュ・プル錠としてラッチ錠１を使用することが可能となっている。
【００５９】
また、室外側ハンドル４を扉２の外壁面３に固定しており、室外側ハンドル４を室外側レバー７と共に回転させるような構成を採用する場合と比較して、可動部材を少なくすることができる。そのため、ラッチ錠１の故障頻度を減少させることができる。また、室外側レバー７の回転に伴って室外側ラッチバー８を回転させる構成であり、室外側ハンドル４を回転させる必要が無いため、室外側ラッチバー８の回転に必要な力を小さくすることができ、操作感の向上を図ることが可能となる。また、室外側レバー７の操作部３４を室外側ハンドル４の後側に突出させているため、室外側ハンドル４を前側に牽引して扉２を開放する動作に連動して、室外側レバー７を回転させることが可能となる。また、室外側ラッチバー８が室外側レバー７に固定されているため、別部材を介して室外側ラッチバー８と室外側レバー７を接続する場合と比較して、ラッチ錠１の構成を簡易化することが可能となる。なお、これらの効果は、室内側の部材についても同様である。
＜第２の実施形態＞
【００６０】
次に、第２の実施形態に係るラッチ錠１０１について、図５を用いて説明する。図５は、本発明の第２の実施形態に係るラッチ錠において、扉の内側部分を模式的に示す断面図である。なお、第１の実施形態と同様の構成を有する部材については、図示及び説明を適宜省略する。
【００６１】
図５に示されるように、扉１０２の内壁面１０３には室内側ハンドル１０４が固定され、室内側ハンドル１０４には、前側に開口部１０５を有するレバー挿入部１０６が設けられ、このレバー挿入部１０６には、室内側レバー１０７が挿入されている。室内側レバー１０７は、レバー挿入部１０６内に設けられた回転軸１０８を中心として前後方向に回転可能に設けられている。室内側レバー１０７の下部前側には操作部１０９が設けられている。操作部１０９は、室内側レバー１０７が前側に回転した時に開口部１０５を介して室内側ハンドル１０４の前側に突出するように配置されている。室内側レバー１０７は、付勢手段（図示せず）によって前側に付勢されている。
【００６２】
室内側レバー１０７の上端には、室内側ラッチバー１１０が固定されている。室内側ラッチバー１１０には、突起部１１１が後側に向かって突設されている。
【００６３】
このように構成されたものにおいて、室内側ハンドル１０４を把持して後側に押圧した場合の作用について以下に説明する。なお、扉１０２に収納された部材の構成については、第１の実施形態と同様であるため、図４を参照しつつ説明する。
【００６４】
室内側ハンドル１０４を把持して後側に押圧すると、これに連動して室内側レバー１０７の操作部１０９が後側に押圧される。この押圧により、図５に二点鎖線で示されるように、室内側レバー１０７が回転軸１０８を中心に後側に回転し、室内側レバー１０７に固定された室内側ラッチバー１１０も回転し、室内側ラッチバー１１０の突起部１１１が上方に移動する。
【００６５】
このように室内側ラッチバー１１０の突起部１１１が上方に移動すると、（以下、図４参照）他方の作動片７１の当接部９７が上方に押圧され、他方の作動片７１が上方に移動する。これに伴って、他方の作動片７１の押圧部９６が下側の係止片６８の被押圧部９０を上方に押圧し、付勢バネ８９の付勢力に抗して下側の係止片６８が回転する。この回転により、下側の係止片６８の係止突起８８によるラッチボルト６６の係止が解除される。また、下側の係止片６８の回転に伴って、下側の係止片６８とリンク９３を介して接続された上側の係止片６７も付勢バネ８９の付勢力に抗して回転し、上側の係止片６７の係止突起８３によるラッチボルト６６の係止が解除される。
【００６６】
本実施形態では、室内側レバー１０７の操作部１０９を室内側ハンドル１０４の前側に突出させているため、室内側ハンドル１０４を後側に押圧して扉１０２を開放する動作に連動して、室内側レバー１０７を回転させることが可能となる。
【００６７】
また、室内側ラッチバー１１０が室内側レバー１０７に固定されているため、別部材を介して室内側ラッチバー１１０と室内側レバー１０７を接続する場合と比較して、ラッチ錠１０１の構成を簡易化することが可能となる。
＜第３の実施形態＞
【００６８】
次に、第３の実施形態に係るラッチ錠１２１について、図６を用いて説明する。図６は、本発明の第３の実施形態に係るラッチ錠において、扉の外側部分を模式的に示す断面図である。なお、第１の実施形態と同様の構成を有する部材については、図示及び説明を適宜省略する。
【００６９】
図６に示されるように、扉１２２の外壁面１２３には室外側ハンドル１２４が固定され、室外側ハンドル１２４には、後側に開口部１２５を有するレバー挿入部１２６が設けられ、このレバー挿入部１２６の上下方向中央には、室外側レバー１２７が挿入されている。室外側レバー１２７は、レバー挿入部１２６内に設けられた回転軸１２８を中心として前後方向に回転可能に設けられている。室外側レバー１２７の下部後側には操作部１３０が設けられている。操作部１３０は、室外側レバー１２７が後側に回転した時に開口部１２５を介して室外側ハンドル１２４の後側に突出するように配置されている。室外側レバー１２７は、付勢手段（図示せず）によって後側に付勢されている。室外側レバー１２７の上端には円形の第１係合突起１３１が設けられ、室外側レバー１２７の下端には円形の第２係合突起１３２が設けられている。
【００７０】
レバー挿入部１２６の上部には、室外側ラッチバー１３３が収容されている。室外側ラッチバー１３３は、レバー挿入部１２６内に設けられた回転軸１３４を中心に回転可能となっている。室外側ラッチバー１３３の下端には、長円形の第１係合溝１３５が設けられており、この第１係合溝１３５に室外側レバー１２７の第１係合突起１３１が係合することで、第１リンク１３６が形成されている。室外側ラッチバー１３３には、後側に向かって突起部１３７が突設されている。
【００７１】
レバー挿入部１２６の下部には、リンクアーム１３８が収容されている。リンクアーム１３８は、その下端に設けられた回転軸１４０を中心に回転可能となっている。リンクアーム１３８の上端には、長円形の第２係合溝１４１が設けられ、この第２係合溝１４１に室外側レバー１２７の第２係合突起１３２が係合することで、第２リンク１４２が形成されている。リンクアーム１３８の下部には、操作突起１４３が後側に向かって突設されている。
【００７２】
このように構成されたものにおいて、室外側レバー１２７の操作部１３０が押圧されると、図６に二点鎖線で示されるように、室外側レバー１２７が回転軸１２８を中心に前側に回転する。これに伴って室外側レバー１２７に第１リンク１３６を介して接続された室外側ラッチバー１３３が、回転軸１３４を中心に室外側レバー１２７とは逆方向に回転する。これに伴って、室外側ラッチバー１３３の突起部１３７が上方に移動する。その後の作用については、第２の実施形態と同様である。
【００７３】
また、上記のように構成されたものにおいて、リンクアーム１３８の操作突起１４３が押圧されると、リンクアーム１３８が回転軸１４０を中心に回転し、これに伴って、リンクアーム１３８と第２リンク１４２を介して接続された室外側レバー１２７を回転させることができる。つまり、本実施形態では、リンクの数を増やすことで、押圧可能範囲を広げることが可能となっている。
【００７４】
本実施形態では、室外側レバー１２７の操作部１３０を室外側ハンドル１２４の後側に突出させているため、室外側ハンドル１２４を前側に牽引して扉１２２を開放する動作に連動して、室外側レバー１２７を回転させることが可能となる。
【００７５】
また、室外側ラッチバー１３３が室外側レバー１２７に第１リンク１３６を介して接続されているため、室外側ラッチバー１３３を室外側レバー１２７とは逆方向に回転させたいような場合に対応可能となっている。
＜第４の実施形態＞
【００７６】
次に、第４の実施形態に係るラッチ錠１５１について、図７を用いて説明する。図７は、本発明の第４の実施形態に係るラッチ錠において、扉の内側部分を模式的に示す断面図である。なお、第１の実施形態と同様の構成を有する部材については、図示及び説明を適宜省略する。
【００７７】
図７に示されるように、扉１５２の内壁面１５３には室内側ハンドル１５４が固定されている。室内側ハンドル１５４には、前側に開口部１５５を有するレバー挿入部１５６が設けられ、このレバー挿入部１５６には、室内側レバー１５７が挿入されている。室内側レバー１５７は、レバー挿入部１５６内に設けられた回転軸１５８を中心として前後方向に回転可能となっている。室内側レバー１５７の下部前側には操作部１６０が設けられている。操作部１６０は、室内側レバー１５７が前側に回転した時に開口部１５５を介して室内側ハンドル１５４の前側に突出するように配置されている。室内側レバー１５７は、付勢手段（図示せず）によって前側に付勢されている。室内側レバー１５７の上端には円形の係合突起１６１が設けられている。
【００７８】
レバー挿入部１５６の上端には、室内側ラッチバー１６２が収容されている。室内側ラッチバー１６２は、レバー挿入部１５６内に設けられた回転軸１６３を中心に回転可能となっている。室内側ラッチバー１６２の下端には、長円形の係合溝１６４が設けられている。この係合溝１６４に室内側レバー１５７の係合突起１６１が係合することで、リンク１６５が形成されている。室内側ラッチバー１６２には、後側に向かって突起部１６６が突設されている。
【００７９】
このように構成されたものにおいて、室内側ハンドル１５４を把持して後側に押圧すると、これに連動して室内側レバー１５７の操作部１６０が後側に押圧される。この押圧により、図７に二点鎖線で示されるように、室内側レバー１５７が回転軸１５８を中心に後側に回転する。これに伴って室内側レバー１５７にリンク１６５を介して接続された室内側ラッチバー１６２が、回転軸１６３を中心に室内側レバー１５７とは逆方向に回転する。これに伴って、室内側ラッチバー１６２の突起部１６６が下方に移動する。その後の作用については、第１の実施形態と同様である。
【００８０】
本実施形態では、室内側レバー１５７の操作部１６０を室内側ハンドル１５４の前側に突出させているため、室内側ハンドル１５４を後側に押圧して扉１５２を開放する動作に連動して、室内側レバー１５７を回転させることが可能となる。
【００８１】
また、室内側ラッチバー１６２が室内側レバー１５７にリンク１６５を介して接続されているため、室内側ラッチバー１６２を室内側レバー１５７とは逆方向に回転させたいような場合に対応可能となっている。
【００８２】
第２、第４の実施形態では室内側の部材を例に説明し、第３の実施形態では室外側の部材を例に説明したが、他の異なる実施形態では、第２、第４の実施形態の構成を室外側の部材に適用したり、第３の実施形態の構成を室内側の部材に適用したりすることも可能である。
【００８３】
上記各実施形態では、ラッチバーがレバーと同一方向又は逆方向のどちらに回転する場合でも作動するラッチ錠について説明したが、他の異なる実施形態では、ラッチバーがレバーと同一方向又は逆方向のいずれか一方に回転した場合にのみ作動するようなラッチ錠を用いても良い。
【００８４】
＜第５の実施形態＞
【００８５】
次に、図８及び図９を参照しつつ、本発明の第５の実施形態に係るラッチ錠１７０について説明する。図８は本発明の第５の実施形態に係るラッチ錠を備えた扉を示す側断面図、図９は本発明の第５の実施形態に係るラッチ錠を備えた扉を示す平断面図である。なお、上記した第１の実施形態と同様の構成を有する部材については、図８及び図９中、同一の符号を付し、その詳細な説明は省略する。
【００８６】
まず、本実施形態に係るラッチ錠１７０のうち、扉２の室外側（図８及び図９における左側）に設けられた部材の構成について説明する。なお、以下の説明では、便宜上、図８及び図９における左側を扉２の室外側に設けられた部材の前側（正面側）とし、図８及び図９における右側を扉２の室外側に設けられた部材の後側（背面側）とする。
【００８７】
扉２の室外側には、扉２の外壁面３に固定される室外側ハンドル４と、室外側ハンドル４の上端後側に配置される室外側ブラケット１７１と、室外側ハンドル４の上部に支持される室外側レバー１７２と、室外側レバー１７２に連結される室外側ラッチバー１７３と、が設けられている。以下、これらの部材について順番に説明する。
【００８８】
室外側ブラケット１７１は、室内側ハンドル４のレバー挿入部１３の上部後側に収容されている。室外側ブラケット１７１は、上下方向に延びる後面板１７４と、後面板１７４の両側から前方に屈曲して互いに平行を成す左右一対の側板１７５と、を備えている。後面板１７４の上部と下部は、固定ネジ１７６を介して室外側ハンドル４の座面１６に固定されている。後面板１７４の上下方向中央部には、ブラケット挿通孔１７７が穿設されている。
【００８９】
室外側ブラケット１７１の各側板１７５間には、上下方向中央部に室外側ラッチバー１７３の回転軸１７８が架設され、上部に室外側レバー１７２の回転軸１７９が架設されている。また、各側板１７５の室外側ラッチバー１７３の回転軸１７８の下方には、略矩形状の通孔１８０がそれぞれ開口されている。
【００９０】
室外側レバー１７２は、上下方向に長い形状を成しており、室外側ハンドル４のレバー挿入部１３に挿入されている。室外側レバー１７２の上部には、レバー側取付部１８１が設けられている。レバー側取付部１８１の上部には、レバー側軸孔（図示省略）が設けられ、このレバー側軸孔に室外側レバー１７２の回転軸１７９が貫挿されている。これにより、室外側レバー１７２は、その回転軸１７９を中心として前後方向に回転可能な状態で、室外側ハンドル４に支持される。
【００９１】
レバー側取付部１８１の上下方向中央部には、横長孔１８２が穿設され、この横長孔１８２に室外側ラッチバー１７３の回転軸１７８の一端部が遊嵌されている。レバー側取付部１８１の下部には、回転軸１７８，１７９と平行を成すように係合凸部としての軸状部１８３が挿着されており、この軸状部１８３の両端部は通孔１８０に遊嵌されている。
【００９２】
また、室外側レバー１７２の下部後側には、操作部１８４が設けられている。操作部１８４は、室外側レバー１７２が後側に回転した状態（図８の実線参照）で、開口部１４を介して室外側ハンドル４の後側に突出するように配置されている。
【００９３】
室外側ラッチバー１７３は、縦長で平面視逆コの字状のラッチバー側取付部１８５と、このラッチバー側取付部１８５の上部から後方に向かって延設される横長板形状の突起片１８６と、を備え、平面視で鉤形状を成している。
【００９４】
ラッチバー側取付部１８５の上部には、ラッチバー側軸孔（図示省略）が設けられ、このラッチバー側軸孔に室外側ラッチバー１７３の回転軸１７８が貫挿されている。ラッチバー側取付部１８５の下部には、軸状部１８３に係合可能な係合凹部としての挿通孔１８８が穿設され、この挿通孔１８８に軸状部１８３の両端部が遊挿されている。これにより軸状部１８３と挿通孔１８８とで係合部が構成され、室外側ラッチバー１７３は室外側レバー１７２の回転に伴って、回転軸１７８を中心として前後方向に回転可能な状態で室外側ハンドル４に支持される。
【００９５】
ラッチバー側取付部１８５の内部には収容空間１８９が形成され、この収容空間１８９にはねじりコイルバネ１９０が収容されている。ねじりコイルバネ１９０は、室外側ラッチバー１７３の回転軸１７８の外周に巻回されており、室外側レバー１７２を後側に付勢している。
【００９６】
突起片１８６は、室外側ブラケット１７１の後面板１７４に形成されたブラケット挿通孔１７７に挿通されて扉２内に挿入されている。
【００９７】
次に、上記の如く構成されたラッチ錠１７０の作用について説明する。なお、ラッチ錠１７０のうち、扉２の内部に収納された部材は、上記した第１の実施形態と同様の構成を有しているため、図８及び図９に加えて図４を参照しつつ説明する。
【００９８】
扉２が閉止されている状態では、ねじりコイルバネ１９０の付勢力によって室外側レバー１７２が後側に付勢されている（図８の左側の実線参照）。また、図４に実線で示されるように、付勢バネ８９の付勢力によって各係止片６７、６８の係止突起８３、８８がラッチボルト６６の鍔部８１を係止しており、扉２の木口６４からのラッチボルト６６の退避が規制され、各係止片６７、６８は前記第１の姿勢となる。
【００９９】
この状態から、扉２を開放するために室外側ハンドル４を把持して前側に牽引すると、これに連動して室外側レバー１７２の操作部１８４が前方に押圧される。この押圧により、図８の左側に二点鎖線で示すように、室外側レバー１７２が回転軸１７９を中心に前側に回転し、室外側レバー１７２の軸状部１８３が挿通孔１８８の外周側面を前側に押圧することにより、室外側ラッチバー１７３が回転軸１７８を中心に回転し、室外側ラッチバー１７３の突起片１８６が下方に移動する。
【０１００】
このように室外側ラッチバー１７３の突起片１８６が下方に移動すると、突起片１８６によって一方の作動片７０の当接部９５が下方に押圧され、図４に二点鎖線で示されるように、一方の作動片７０が下方に移動する。以降の動作は、上記した第１の実施形態の場合と同様であるため、詳細な説明は省略するが、上側の係止片６７の係止突起８３及び下側の係止片６８の係止突起８８によるラッチボルト６６の係止が解除され、ラッチボルト６６が扉２の木口６４から退避可能となり、各係止片６７、６８は前記第２の姿勢となる。
【０１０１】
上記したように本実施形態によれば、室外側レバー１７２と室外側ラッチバー１７３とを前記係合部（軸状部１８３、挿通孔１８８）を介して連結することにより室外側レバー１７２の回転に伴って室外側ラッチバー１７３が回転する構成を採用しているため、室外側ラッチバー１７３の回転に必要な力をより小さくすることができ、室外側レバー２０３の操作感の向上を図ることが可能となる。
【０１０２】
また、上記した他の実施形態の場合と同様に、ラッチボルト６６が扉２の木口６４に対して進退可能に設けられているため、ラッチボルト６６を係合させるストライク７７を、扉２の壁面３と対向する部材では無く、扉２の木口６４と対向する扉枠７６に設けることができる。そのため、扉枠７６によって扉２の開放方向が制限される虞が無く、プッシュ・プル錠としてラッチ錠１７０を使用することが可能となっている。
【０１０３】
さらに、室外側ハンドル４を扉２の外壁面３に固定しており、室外側ハンドル４を室外側レバー１７２と共に回転させるような構成を採用する場合と比較して、可動部材を少なくすることができる。そのため、ラッチ錠１７０の故障頻度を減少させることができる。また、室外側レバー１７２の操作部１８４を室外側ハンドル４の後側に突出させているため、室外側ハンドル４を前側に牽引して扉２を開放する動作に連動して、室外側レバー１７２を回転させることが可能となる。
【０１０４】
＜第６の実施形態＞
【０１０５】
次に、図８及び図９を参照しつつ、本発明の第６の実施形態に係るラッチ錠２００について説明する。図８は本発明の第６の実施形態に係るラッチ錠を備えた扉を示す側断面図、図９は本発明の第６の実施形態に係るラッチ錠を備えた扉を示す平断面図である。なお、上記した第１の実施形態と同様の構成を有する部材については、図８及び図９中、同一の符号を付し、その詳細な説明は省略する。
【０１０６】
まず、本実施形態に係るラッチ錠２００のうち、扉２の室内側（図８及び図９における右側）に設けられた部材の構成について説明する。なお、以下の説明では、便宜上、図８及び図９における右側を扉２の室内側に設けられた部材の前側（正面側）とし、図８及び図９における左側を扉２の室内側に設けられた部材の後側（背面側）とする。
【０１０７】
扉２の室内側には、扉２の内壁面４９に固定される室内側ハンドル４４と、室内側ハンドル４４の上端後側に配置される室内側裏板２０１と、室内側裏板２０１の前側に配置される室内側ブラケット２０２と、室内側ハンドル４４の上部に支持される室内側レバー２０３と、室内側レバー２０３に連結される室内側ラッチバー２０４と、が設けられている。以下、これらの部材について順番に説明する。
【０１０８】
室内側裏板２０１は、上下方向に延びる固定板２０５と、固定板２０５の両側から前方に向かってそれぞれ屈曲される一対の屈曲板２０６と、を備えている。固定板２０５の上下は、各取付柱２１の室内側の端部に固定ネジ２０７を介して固定され、固定板２０５の上下方向中央部には、裏板側挿通孔２０８が穿設されている。また、各屈曲板２０６には、それぞれさらに前方に向かって延びる固定片２０９が形成され、各固定片２０９は固定ネジ２１０を介して室内側ハンドル４４に固定されている。
【０１０９】
室内側ブラケット２０２は、室内側ハンドル４４のレバー挿入部５３の上部後側に収容されている。室内側ブラケット２０２は、上下方向に延びる後面板２１１と、後面板２１１の両側から前方に屈曲して互いに平行を成す左右一対の側板２１２と、を備えている。後面板２１１の上部と下部は、固定ネジ２１３を介して室内側ハンドル４４の座面５６に固定されている。後面板２１１の上下方向中央部には、ブラケット挿通孔２１４が穿設されている。
【０１１０】
室内側ブラケット２０２の各側板２１２間には、上部に室内側レバー２０３の回転軸２１５が架設され、下部に室内側ラッチバー２０４の回転軸２１６が架設されている。また、室内側ブラケット２０２の各側板２１２には、室内側レバー２０３の回転軸２１５と室内側ラッチバー２０４の回転軸２１６の間の上下方向中央部に略矩形状の通孔２１７が開口されている。
【０１１１】
室内側レバー２０３は、上下方向に長い形状を成しており、室内側ハンドル４４のレバー挿入部５３に挿入されている。室内側レバー２０３の上部には、レバー側取付部２１８が設けられている。レバー側取付部２１８の上部には、レバー側軸孔（図示省略）が設けられ、このレバー側軸孔に室内側レバー２０３の回転軸２１５が貫挿されている。これにより、室内側レバー２０３は、その回転軸２１５を中心として前後方向に回転可能な状態で、室内側ハンドル４４に支持される。
【０１１２】
レバー側取付部２１８の下部には、横長の逃げ孔２２０が穿設され、この逃げ孔２２０に室内側ラッチバー２０４の回転軸２１６の一端部が遊嵌されている。レバー側取付部２１８には、前記レバー側軸孔と逃げ孔２２０の間に、回転軸２１５，２１６と平行を成すように係合凸部としての軸状部２２１が挿着されており、この軸状部２２１の両端部は通孔２１７に遊嵌されている。
【０１１３】
また、室内側レバー２０３の下部前側には、操作部２１８が設けられている。操作部２１８は、室内側レバー２０３が前側に回転した状態（図８の実線参照）で、開口部５４を介して室内側ハンドル４４の前側に突出するように配置されている。
【０１１４】
室内側ラッチバー２０４は、縦長で平面視コの字状のラッチバー側取付部２１９と、このラッチバー側取付部２１９の上部から後方に向かって延設される横長板形状の突起片２２５と、を備え、平面視で鉤形状を成している。
【０１１５】
ラッチバー側取付部２１８の下部には、ラッチバー側軸孔（図示省略）が設けられ、このラッチバー側軸孔に室内側ラッチバー２０４の回転軸２１６が貫挿されている。ラッチバー側取付部２１９の前記ラッチバー軸孔の上方には、軸状部２２１に係合可能な係合凹部としての挿通孔２２２が穿設され、この挿通孔２２２に軸状部２２１の両端部が遊挿されている。これにより軸状部２２１と挿通孔２２２とで係合部が構成され、室内側ラッチバー２０４は室内側レバー２０３の回転に伴って、回転軸２１５を中心として前後方向に回転可能な状態で室内側ハンドル４４に支持される。
【０１１６】
ラッチバー側取付部２１８の内部には収容空間２２３が形成され、この収容空間２２３にはねじりコイルバネ２２４が収容されている。ねじりコイルバネ２２４は、室内側レバー２０３の回転軸２１５の外周に巻回されており、室内側レバー２０３を前側に付勢している。
【０１１７】
突起片２２５は、室内側ブラケット２０２の後面板２１１に形成されたブラケット挿通孔２１４に挿通されて扉２内に挿入されている。
【０１１８】
次に、上記の如く構成されたラッチ錠２００の作用について説明する。なお、ラッチ錠２００のうち、扉２の内部に収納された部材は、上記した第１の実施形態と同様の構成を有しているため、図８及び図９に加えて図４を参照しつつ説明する。
【０１１９】
扉２が閉止されている状態では、ねじりコイルバネ２２４の付勢力によって室内側レバー２０３が前側に付勢されている（図８の右側の実線参照）。また、図４に実線で示されるように、付勢バネ８９の付勢力によって各係止片６７、６８の係止突起８３、８８がラッチボルト６６の鍔部８１を係止しており、扉２の木口６４からのラッチボルト６６の退避が規制され、各係止片６７、６８は前記第１の姿勢となる。
【０１２０】
この状態から、扉２を開放するために室内側ハンドル４４を把持して後側に牽引すると、これに連動して室内側レバー２０３の操作部２１８が後方に押圧される。この押圧により、図８の右側に二点鎖線で示すように、室内側レバー２０３が回転軸２１５を中心に後側に回転し、室内側レバー２０３の軸状部２２１が挿通孔２２２の外周側面を後側に押圧することにより、室内側ラッチバー２０４が回転軸２１６を中心に回転し、室内側ラッチバー２０４の突起片２２５が下方に移動する。
【０１２１】
このように室内側ラッチバー２０４の突起片２２５が下方に移動すると、突起片２２５によって一方の作動片７０の当接部９５が下方に押圧され、図４に二点鎖線で示されるように、一方の作動片７０が下方に移動する。以降の動作は、上記した第１の実施形態の場合と同様であるため、詳細な説明は省略するが、上側の係止片６７の係止突起８３及び下側の係止片６８の係止突起８８によるラッチボルト６６の係止が解除され、ラッチボルト６６が扉２の木口６４から退避可能となり、各係止片６７、６８は前記第２の姿勢となる。
【０１２２】
上記したように本実施形態によれば、室内側レバー２０３と室内側ラッチバー２０４とを前記係合部（軸状部２２１、挿通孔２２２）を介して連結することにより室内側レバー２０３の回転に伴って室内側ラッチバー２０４が回転する構成を採用しているため、室内側ラッチバー２０４の回転に必要な力をより小さくすることができ、室内側レバー２０３の操作感の向上を図ることが可能となる。
【０１２３】
また、上記した他の実施形態の場合と同様に、ラッチボルト６６が扉２の木口６４に対して進退可能に設けられているため、ラッチボルト６６を係合させるストライク７７を、扉２の壁面４９と対向する部材では無く、扉２の木口６４と対向する扉枠７６に設けることができる。そのため、扉枠７６によって扉２の開放方向が制限される虞が無く、プッシュ・プル錠としてラッチ錠２００を使用することが可能となっている。
【０１２４】
さらに、室内側ハンドル４４を扉２の内壁面４９に固定しており、室内側ハンドル４４を室内側レバー２０３と共に回転させるような構成を採用する場合と比較して、可動部材を少なくすることができる。そのため、ラッチ錠２００の故障頻度を減少させることができる。
【０１２５】
＜第７の実施形態＞
【０１２６】
次に、図１０及び図１１を参照しつつ、本発明の第７の実施形態に係るラッチ錠２３０について説明する。図１０は本発明の第７の実施形態に係るラッチ錠を備えた扉を示す側断面図、図１１は本発明の第７の実施形態に係るラッチ錠を備えた扉を示す平断面図である。なお、上記した第１の実施形態と同様の構成を有する部材については、図１０及び図１１中、同一の符号を付し、その詳細な説明は省略する。また、図１０及び図１１において、扉２の室外側（図１０及び図１１における左側）に設けられた部材については、上記した本発明の第５の実施形態に係るラッチ錠１７０と同一の構成を有しているため、符号を省略すると共にその説明を省略する。
【０１２７】
まず、本実施形態に係るラッチ錠２３０のうち、扉２の室内側（図１０及び図１１における右側）に設けられた部材の構成について説明する。なお、以下の説明では、便宜上、図１０及び図１１における右側を扉２の室内側に設けられた部材の前側（正面側）とし、図１０及び図１１における左側を扉２の室内側に設けられた部材の後側（背面側）とする。
【０１２８】
扉２の室内側には、扉２の内壁面４９に固定される室内側ハンドル４４と、室内側ハンドル４４の上端後側に配置される室内側裏板２３１と、室内側裏板２３１の前側に配置される室内側ブラケット２３２と、室内側ハンドル４４の上下方向中央部に支持される室内側レバー２３３と、室内側レバー２３３に連結される室内側ラッチバー２３４と、が設けられている。以下、これらの部材について順番に説明する。
【０１２９】
室内側裏板２３１は、上下方向に延びる固定板２３５と、固定板２３５の両側から前方に向かってそれぞれ屈曲される一対の屈曲板２３６と、を備えている。固定板２３５の上下は、各取付柱２１の室内側の端部に固定ネジ２３７を介して固定され、固定板２３５の上下方向中央部には、裏板側挿通孔２３８が穿設されている。また、各屈曲板２３６には、それぞれさらに前方に向かって延びる固定片２３９が形成され、各固定片２３９は固定ネジ２４０を介して室内側ハンドル４４に固定されている。
【０１３０】
室内側ブラケット２３２は、室内側ハンドル４４のレバー挿入部５３の上部後側に収容されている。室内側ブラケット２３２は、上下方向に延びる前面板２４１と、前面板２４１の両側から後方に屈曲して互いに平行を成す左右一対の側板２４２と、を備えている。前面板２４１の上部と下部は、固定ネジ２４３を介して室内側ハンドル４４の座面２４４に固定されている。前面板２４１の上部には、室内側レバー２３３の上部２４８が挿通可能なブラケット挿通孔２４５が穿設され、前面板２４１の上下方向中央部には前方に向かって受け部２５６が突設されている。
【０１３１】
室内側ブラケット２３２の各側板２４２の下部には室内側ラッチバー２３４の回転軸２４６が架設されている。また、室内側ブラケット２３２の各側板２４２の上部には、略矩形状の通孔２４７が開口されている。
【０１３２】
室内側レバー２３３は、上下方向に長い形状を成しており、室内側ハンドル４４のレバー挿入部５３に挿入されている。室内側レバー２３３の下端は、回転軸２４９を中心として前後方向に回転可能な状態で、室内側ハンドル４４の中央部に支持されている。
【０１３３】
室内側レバー２３３の上部２４８には、回転軸２４６，２４９と平行を成すように係合凸部としての軸状部２５０が挿着されており、この軸状部２５０の両端部は通孔２４７に遊嵌されている。室内側レバー２３３の上部２４８の下方には、後方に向かってストッパ部２５７が室内側ブラケット２３２の受け部２５６に当接可能に突設されている。
【０１３４】
また、室内側レバー２３３の上部前側には、操作部２５１が設けられている。操作部２５１は、室内側レバー２３３の上部２４８が前側に回転した状態（図８の実線参照）で、室内側ハンドル４４の前側に突出するように配置されている。
【０１３５】
室内側ラッチバー２３４は、縦長のラッチバー側取付部２５２と、このラッチバー側取付部２５２の上部から後方に向かって延設される横長板形状の突起片２５３と、突起片２５３の前部から上方に伸びるラッチバー突出部２５４と、を備えている。
【０１３６】
ラッチバー突出部２５４には、軸状部２５０に係合可能な係合凹部としての挿通孔２５５が穿設され、この挿通孔２５５に軸状部２５０の両端部が遊挿されている。これにより軸状部２５０と挿通孔２５５とで係合部が構成され、室内側ラッチバー２３４は室内側レバー２３３の回転に伴って、回転軸２４６を中心として前後方向に回転可能な状態で室内側ハンドル４４に支持される。
【０１３７】
ラッチバー側取付部２５２の内部には収容空間２５８が形成され、この収容空間２５８にはねじりコイルバネ２５９が収容されている。ねじりコイルバネ２５９は、室内側ラッチバー２３４の回転軸２４６の外周に巻回されており、室内側レバー２３３を前側に付勢している。
【０１３８】
突起片２５３は、室内側裏板２３１の固定板２３５に形成された裏板側挿通孔２３８に挿通されて扉２内に挿入されている。
【０１３９】
次に、上記の如く構成されたラッチ錠２３０の作用について説明する。なお、ラッチ錠２３０のうち、扉２の内部に収納された部材は、上記した第１の実施形態と同様の構成を有しているため、図１０及び図１１に加えて図４を参照しつつ説明する。
【０１４０】
扉２が閉止されている状態では、ねじりコイルバネ２５９の付勢力によって室内側レバー２３３が前側に付勢されている（図１０の右側の実線参照）。また、図４に実線で示されるように、付勢バネ８９の付勢力によって各係止片６７、６８の係止突起８３、８８がラッチボルト６６の鍔部８１を係止しており、扉２の木口６４からのラッチボルト６６の退避が規制され、各係止片６７、６８は前記第１の姿勢となる。
【０１４１】
この状態から、扉２を開放するために室内側ハンドル４４を把持して室内側レバー２３３の操作部２５１を後方に押圧すると、図１０の右側に二点鎖線で示すように、室内側レバー２３３が回転軸２４９を中心に後側に回転するのに伴って、室内側レバー２３３の軸状部２５０が挿通孔２５５の外周側面を後側に押圧する。これにより、室内側ラッチバー２３４が回転軸２４６を中心に回転し、室内側ラッチバー２３４の突起片２５３が下方に移動する。
【０１４２】
このように室内側ラッチバー２３４の突起片２５３が下方に移動すると、突起片２５３によって一方の作動片７０の当接部９５が下方に押圧され、図４に二点鎖線で示されるように、一方の作動片７０が下方に移動する。以降の動作は、上記した第１の実施形態の場合と同様であるため、詳細な説明は省略するが、上側の係止片６７の係止突起８３及び下側の係止片６８の係止突起８８によるラッチボルト６６の係止が解除され、ラッチボルト６６が扉２の木口６４から退避可能となり、各係止片６７、６８は前記第２の姿勢となる。
【０１４３】
上記したように本実施形態によれば、室内側レバー２３３と室内側ラッチバー２３４とを前記係合部（軸状部２５０、挿通孔２５５）を介して連結することにより室内側レバー２３３の回転に伴って室内側ラッチバー２３４が回転する構成を採用しているため、室内側ラッチバー２３４の回転に必要な力をより小さくすることができ、室内側レバー２３３の操作感の向上を図ることが可能となる。
【０１４４】
また、上記した他の実施形態の場合と同様に、ラッチボルト６６が扉２の木口６４に対して進退可能に設けられているため、ラッチボルト６６を係合させるストライク７７を、扉２の壁面４９と対向する部材では無く、扉２の木口６４と対向する扉枠７６に設けることができる。そのため、扉枠７６によって扉２の開放方向が制限される虞が無く、プッシュ・プル錠としてラッチ錠２３０を使用することが可能となっている。
【０１４５】
さらに、室内側ハンドル４４を扉２の内壁面４９に固定しており、室内側ハンドル４４を室内側レバー２３３と共に回転させるような構成を採用する場合と比較して、可動部材を少なくすることができる。そのため、ラッチ錠２３０の故障頻度を減少させることができる。
【０１４６】
上記各実施形態では、ラッチ錠によって扉の閉止状態（仮締まり状態）を保持する構成のみについて説明したが、他の異なる実施形態では、ラッチ錠に加えて、シリンダー錠等を備えた施解錠機構を扉に設けても良い。
【０１４７】
上記各実施形態では、錠ケースのラッチボルト装着部にラッチボルトが水平方向回転可能に装着される場合について説明したが、他の異なる実施形態では、錠ケースのラッチボルト装着部にラッチボルトが前後方向スライド可能に装着されても良い。この場合には、ラッチボルトの前進に伴って扉の木口からラッチボルトが突出し、ラッチボルトの後退に伴って扉の木口からラッチボルトが退避することになる。
【符号の説明】
【０１４８】
１  ラッチ錠
２  扉
３  外壁面
４  室外側ハンドル
７  室外側レバー
８  室外側ラッチバー
１３  レバー挿入部
１４  開口部
２８  回転軸
４３  ねじりコイルバネ（付勢手段）
４４  室内側ハンドル
４７  室内側レバー
４８  室内側ラッチバー
４９  内壁面
５３  レバー挿入部
５４  開口部
６４  木口
６６  ラッチボルト
６７  上側の係止片
６８  下側の係止片
１０１  ラッチ錠
１０２  扉
１０３  内壁面
１０４  室内側ハンドル
１０５  開口部
１０６  レバー挿入部
１０８  回転軸
１１２  ねじりコイルバネ（付勢手段）
１２１  ラッチ錠
１２２  扉
１２３  外壁面
１２４  室外側ハンドル
１２５  開口部
１２６  レバー挿入部
１２８  回転軸
１３６  第１リンク
１４４  ねじりコイルバネ（付勢手段）
１５１  ラッチ錠
１５２  扉
１５３  内壁面
１５４  室内側ハンドル
１５５  開口部
１５６  レバー挿入部
１５８  回転軸
１６５  リンク
１６７  ねじりコイルバネ（付勢手段）
１７０  ラッチ錠
１７２  レバー
１７３  ラッチバー
１７８  ラッチバーの回転軸
１７９  レバーの回転軸
１８３  軸状部（係合凸部）
１８８  挿通孔（係合凹部）
２００  ラッチ錠
２０３  レバー
２０４  ラッチバー
２１５  レバーの回転軸
２１６  ラッチバーの回転軸
２２１  軸状部（係合凸部）
２２２  挿通孔（係合凹部）
２３０  ラッチ錠
２３３  レバー
２３４  ラッチバー
２４６  ラッチバーの回転軸
２４９  レバーの回転軸
２５０  軸状部（係合凸部）
２５５  挿通孔（係合凹部）
【図１】
2013189843.tif 000003
【図２】
2013189843.tif 000004
【図３】
2013189843.tif 000005
【図４】
2013189843.tif 000006
【図５】
2013189843.tif 000007
【図６】
2013189843.tif 000008
【図７】
2013189843.tif 000009
【図８】
2013189843.tif 000010
【図９】
2013189843.tif 000011
【図１０】
2013189843.tif 000012
【図１１】
2013189843.tif 000013